(57)【要約】【課題】ネットワークを介して特定の情報機器を他の情報機器から遠隔操作することが可能であり、遠隔操作の際よりユーザの利便性を向上させた情報機器遠隔操作システムである。【解決手段】情報機器遠隔操作システム１は、被操作側の情報機器３と、操作側の情報機器２とを備える。被操作側の情報機器３にウィンドウと関連付けたビュー領域に関するビュー情報を記憶するビュー情報記憶部２０と、ビュー情報に従って操作側表示部２ａに初期状態として表示させる画像を生成する画面情報処理部１８と、通信部１７と、アプリケーションを操作する制御情報処理部２１とを設ける一方、操作側の情報機器２に、通信部１２と、ビュー情報を記憶するビュー領域記憶部１６と、ビュー情報に従って複数の表示領域に表示順位の高い順に画像を表示させる画面情報処理部１３と、アプリケーションの操作情報を被操作側の情報機器３に送信させる制御情報処理部１１とを設けた。【選択図】  図２
2005301908.tif 000002
【特許請求の範囲】
【請求項１】
ウィンドウを被操作側表示部に表示させてアプリケーションを実行する被操作側の情報機器と、この被操作側の情報機器とネットワークを介して接続可能であり、かつ前記被操作側表示部よりも小型の操作側表示部を有する操作側の情報機器とを備え、前記被操作側の情報機器に、前記被操作側表示部に表示された画面の一部あるいは全範囲を前記操作側表示部に初期状態として表示させる場合における画像の範囲を前記ウィンドウと関連付けたビュー領域として、このビュー領域に関連付けられた所属ウィンドウ、所属ウィンドウの任意の基準位置からの相対的な領域範囲および前記操作側表示部に表示させる際の表示順位をパラメータとして有するビュー情報を記憶するビュー情報記憶部と、前記ビュー情報に従って前記操作側表示部に初期状態として表示させる画像を生成する画面情報処理部と、この画面情報処理部により生成された画像とともにビュー情報を前記操作側の情報機器に送信し、かつ前記操作側の情報機器から前記アプリケーションの操作情報を受信する通信部と、この通信部により受信された前記アプリケーションの操作情報をオペレーティングシステムに与えて前記アプリケーションを操作する制御情報処理部とを設ける一方、前記操作側の情報機器に、前記被操作側の情報機器から送信された画像およびビュー情報を受信する通信部と、この通信部により受信されたビュー情報を記憶するビュー領域記憶部と、前記通信部により受信された画像の一部あるいは全範囲を前記ビュー領域記憶部に記憶されたビュー情報に従って前記操作側表示部が有する複数の表示領域に表示順位の高い順に表示させる画面情報処理部と、操作部に入力された前記アプリケーションの操作情報を通信部に与えて前記被操作側の情報機器に送信させる制御情報処理部とを設けたことを特徴とする情報機器遠隔操作システム。
【請求項２】
ウィンドウを被操作側表示部に表示させてアプリケーションを実行し、かつ前記被操作側表示部よりも小型の操作側表示部を有する操作側の情報機器にネットワークを介して接続可能な被操作側の情報機器を備え、前記被操作側の情報機器に、前記被操作側表示部に表示された画面の一部あるいは全範囲を前記操作側表示部に初期状態として表示させる場合における画像の範囲を前記ウィンドウと関連付けたビュー領域として、このビュー領域に関連付けられた所属ウィンドウ、所属ウィンドウの任意の基準位置からの相対的な領域範囲および前記操作側表示部に表示させる際の表示順位をパラメータとして有するビュー情報を記憶するビュー情報記憶部と、前記ビュー情報に従って前記操作側表示部に初期状態として表示させる画像を生成する画面情報処理部と、この画面情報処理部により生成された画像とともにビュー情報を前記操作側の情報機器に送信し、かつ前記操作側の情報機器から前記アプリケーションの操作情報を受信する通信部と、この通信部により受信された前記アプリケーションの操作情報をオペレーティングシステムに与えて前記アプリケーションを操作する制御情報処理部とを設けたことを特徴とする情報機器遠隔操作システム。
【請求項３】
ウィンドウを被操作側表示部に表示させてアプリケーションを実行する被操作側の情報機器にネットワークを介して接続可能であり、かつ前記被操作側表示部よりも小型の操作側表示部を有する操作側の情報機器を備え、この操作側の情報機器に、前記被操作側表示部に表示された画面の一部あるいは全範囲を前記操作側表示部に初期状態として表示させる場合における画像の範囲を前記ウィンドウと関連付けたビュー領域として、このビュー領域に関連付けられた所属ウィンドウ、所属ウィンドウの任意の基準位置からの相対的な領域範囲および前記操作側表示部に表示させる際の表示順位をパラメータとして有するビュー情報に従って前記被操作側の情報機器において生成されて送信された画像および前記ビュー情報を受信する通信部と、この通信部により受信されたビュー情報を記憶するビュー領域記憶部と、前記通信部により受信された画像の一部あるいは全範囲を前記ビュー領域記憶部に記憶されたビュー情報に従って前記操作側表示部が有する複数の表示領域に表示順位の高い順に表示させる画面情報処理部と、操作部に入力された前記アプリケーションの操作情報を通信部に与えて前記被操作側の情報機器に送信させる制御情報処理部とを設けたことを特徴とする情報機器遠隔操作システム。
【請求項４】
前記操作側の情報機器に設けられる画面情報処理部および被操作側の情報機器に設けられる画面情報処理部の少なくとも一方に、前記ビュー領域の表示順位を変更する機能を設け、所属ウィンドウが共通するビュー領域の表示順位を互いに追従して変更できるようにしたことを特徴とする請求項１ないし３のいずれか１項に記載の情報機器遠隔操作システム。
【請求項５】
前記操作側の情報機器に設けられる画面情報処理部および被操作側の情報機器に設けられる画面情報処理部の少なくとも一方に、前記ビュー領域の表示順位を変更する機能を設け、所属ウィンドウが関連するビュー領域の表示順位を互いに追従して変更できるようにしたことを特徴とする請求項１ないし３のいずれか１項に記載の情報機器遠隔操作システム。
【請求項６】
前記ビュー情報に、前記被操作側表示部の画面全体を表示させる全画面ビューについての情報を含めたことを特徴とする請求項１ないし３のいずれか１項に記載の情報機器遠隔操作システム。
【請求項７】
前記被操作側の情報機器に設けられる制御情報処理部に、前記操作側の情報機器から操作対象となるビュー領域の選択情報を受けて、操作対象となる前記ビュー領域の所属ウィンドウが前記被操作側の情報機器における操作対象となるウィンドウと一致しない場合には、操作対象となる前記ウィンドウが前記ビュー領域の所属ウィンドウとなるように操作対象となるウィンドウの変更指令をオペレーティングシステムに与える機能を設けたことを特徴とする請求項１または３記載の情報機器遠隔操作システム。
【請求項８】
前記操作側の情報機器に設けられる画面表示処理部に、前記操作側表示部の表示領域に表示させた画像に対応するビュー領域の所属ウィンドウが操作対象となるウィンドウでない場合には、画像表示を更新させずに最後に操作対象となった際の画像を継続して表示させる機能を設けたことを特徴とする請求項１または３記載の情報機器遠隔操作システム。
【請求項９】
前記操作側の情報機器に設けられる制御情報処理部に、前記ビュー領域記憶部に保存されたビュー情報のうち表示順位を変更する機能を設けたことを特徴とする請求項１または３記載の情報機器遠隔操作システム。
【請求項１０】
前記操作側の情報機器に設けられる画面表示処理部に、前記操作側表示部の各表示領域に表示させた画像に対応するそれぞれのビュー領域の所属ウィンドウが操作対象のウィンドウであるか否かを示す識別表示を前記操作側表示部に表示させる機能を設けたことを特徴とする請求項１または３記載の情報機器遠隔操作システム。
【請求項１１】
前記操作側の情報機器に設けられる画面表示処理部に、前記被操作側表示部、操作対象のウィンドウおよび前記操作側表示部の表示領域の相対的な位置関係を示す位置表示を前記操作側表示部に表示させる機能を設けたことを特徴とする請求項１または３記載の情報機器遠隔操作システム。
【請求項１２】
前記操作側の情報機器に、操作側表示部の向きが変更せしめられたことを検知して前記操作側の情報機器における画面情報処理部に与える表示部角度検知部を設け、前記操作側の情報機器の画面情報処理部は、前記表示部角度検知部から受けた表示部角度情報に基づいて前記操作側表示部の表示形式を変更するようにしたことを特徴とする請求項１または３記載の情報機器遠隔操作システム。
【請求項１３】
前記操作側の情報機器に方向指示キーと役割変更キーとを設け、前記方向指示キーにより前記操作側表示部の表示領域に表示されたカーソルの移動操作、前記操作側表示部の表示領域に表示された画像の移動操作および前記操作側表示部の表示領域に表示される画像の表示倍率の変更操作のうち少なくとも２つの操作を、前記役割変更キーの操作により切り換えて行なえるようにしたことを特徴とする請求項１または３記載の情報機器遠隔操作システム。
【請求項１４】
前記操作側の情報機器に役割変更キーを設け、前記操作側の情報機器の操作部に入力された前記アプリケーションの操作情報を通信部に与えて前記被操作側の情報機器に送信させることにより、前記アプリケーション上の操作を行なうアプリケーション操作モードと、前記アプリケーション以外の操作を行なうための制御モードとを前記役割変更キーの操作により切り換えることができるようにしたことを特徴とする請求項１または３記載の情報機器遠隔操作システム。
【発明の詳細な説明】
【技術分野】
【０００１】
本発明は、ネットワークを経由して遠隔地のパーソナルコンピュータはじめとするマルチウィンドウ表示が可能な表示装置を持つ情報機器を他の情報機器を用いて操作する情報機器遠隔操作システムに関する。
【背景技術】
【０００２】
近年、インターネット接続が可能な携帯電話や無線ＬＡＮ（Local Area Network）内蔵のＰＤＡ（Personal Digital Assistant）など、ネットワーク接続が可能な小型情報端末が普及してきている。また、これらの小型情報端末の表示装置は解像度が高くなり、細かな画像の表示が可能となってきている。それに伴い、小型情報端末から遠隔地にあるパソコンなどの機器にネットワークで接続し、操作を行うための製品の開発や研究が進められている。
【０００３】
例えば、予めソフトウェアをインストールしたパーソナルコンピュータ（ＰＣ）を、ＷＥＢブラウザが使用可能な携帯電話及びＰＤＡからネットワーク経由で操作する技術がある（例えば非特許文献１参照）。
【０００４】
また、同様にソフトウェアをあらかじめインストールしたＰＣを特定の言語が使用できるＷＥＢブラウザまたは専用のビューアで操作する技術がある（例えば非特許文献２参照）。
【０００５】
さらに、携帯電話とＰＣの間に中継サーバを設け、中継サーバと携帯電話を独自プロトコルで通信するという方法で携帯電話からＰＣを遠隔操作する遠隔操作システムが実現されている（例えば非特許文献３参照）。
【非特許文献１】日本ＩＢＭ  ”携帯電話からPCの遠隔操作を実現するソフト”、[ｏｎｌｉｎｅ]，プレス・リリース、[平成１６年４月１９日検索]、インターネット＜ＵＲＬ：ｈｔｔｐ：／／ｗｗｗ−６．ｉｂｍ．ｃｏｍ／ｊｐ／ｄｏｍｉｎｏ０５／ｅｗｍ／ＮｅｗｓＤＢ．ｎｓｆ／２００２／０５２７１＞
【非特許文献２】ＡＴＴ  ”Ｖｉｒｔｕａｌ  Ｎｅｔｗｏｒｋ  Ｃｃ”、［ｏｎｌｉｎｅ］，［平成１６年４月１９日検索］、インターネット＜ＵＲＬ：ｈｔｔｐ：／／ｗｗｗ．ｕｋ．ｒｅｓｅａｒｃｈ．ａｔｔ．ｃｏｍ／ａｒｃｈｉｖｅ／ｖｎｃ／＞
【非特許文献３】中須正人  ”  携帯電話を用いたコンピュータ遠隔操作システムの研究”、［ｏｎｌｉｎｅ］，筑波大学大学院、［平成１６年４月１９日検索］、インターネット＜ＵＲＬ：ｈｔｔｐ：／／ｗｗｗ．ｉｐｌａｂ．ｉｓ．ｔｓｕｋｕｂａ．ａｃ．ｊｐ／〜ｂａｒｕ／ｒｅｓｅａｒｃｈ／ｋｅｉｔａｉ．ｈｔｍｌ＞
【発明の開示】
【発明が解決しようとする課題】
【０００６】
しかし、ソフトウェアをインストールしたＰＣを、ネットワークを介してＷＥＢブラウザ経由で携帯電話やＰＤＡと接続する技術では、画面全体がＨＴＭＬ（HyperText Markup Language）に変換されて被操作側であるＰＣ等の情報機器から操作側である携帯電話やＰＤＡ等の情報機器に送信されるため、操作側の情報機器では、被操作側の情報機器で操作した場合とは異なった表示になるという問題点がある。
【０００７】
また、ソフトウェアをあらかじめインストールしたＰＣを特定の言語が使用できるＷＥＢブラウザまたは専用のビューアで操作する技術においては、被操作側の情報機器であるＰＣの画面をそのまま操作側の情報機器に表示することができるが、操作側の情報機器として利用できるのは特定の限られたＯＳ（Operating System；オペレーティングシステム）上で動作するものが対象となっており、携帯電話や一部のＰＤＡなどでは使用することができない。
【０００８】
さらに、携帯電話とＰＣの間に中継サーバを設けて通信する技術を含めて従来の各種遠隔操作技術においては、小型情報端末等の操作側の情報機器からＰＣ等の被操作側の情報機器への画像情報の移植を行っても操作側の情報機器では被操作側の情報機器の画面の一部のみを表示することになる。このため、被操作側の情報機器がマルチウィンドウ表示が可能な表示装置を持つ情報機器である場合には、操作側の情報機器における画面表示がウィンドウとは関係なく行われ、他のウィンドウを参照する場合には操作側の情報機器において表示画面を上下左右に移動するよう指示する必要が生じる。
【０００９】
つまり、従来の情報機器における遠隔操作技術では操作側の情報機器の表示範囲と被操作側の情報機器におけるウィンドウに関連性がないため、ウィンドウの移動を伴う場合に操作側の情報機器の操作が煩雑となるという問題や、特に小型の情報機器では表示範囲が限られているため、被操作側の情報機器における大きなウィンドウを小型の操作側の情報機器から参照した時に一部しか参照することができないという問題点がある。
【００１０】
このような問題点の他、携帯電話等の情報機器では、ＰＣに通常備えられるマウス等の入力装置が利用できないといった問題やボタンやキーの数が制限されるといった問題がある。
【００１１】
すなわち、表示部が通常のＰＣ等の情報機器のものに比べ小型であり、またハード的な制限を有する携帯電話やＰＤＡ等の情報機器を用いてＰＣ等の情報機器を遠隔操作する場合には、種々の利便性の低下要因が存在する。
【００１２】
本発明はかかる従来の事情に対処するためになされたものであり、ネットワークを介して特定の情報機器を他の情報機器から遠隔操作することが可能であり、遠隔操作の際よりユーザの利便性を向上させた情報機器遠隔操作システムを提供することを目的とする。
【００１３】
また、本発明の他の目的は、表示部が通常のＰＣ等の情報機器のものに比べ小型である操作側の情報機器を用いてネットワークを介して他の被操作側の情報機器を遠隔操作ことが可能であり、遠隔操作の際、よりユーザの利便性を向上させ状態で被操作側の情報機器の画面を操作側の情報機器に表示することができるような情報機器遠隔操作システムを提供することである。
【課題を解決するための手段】
【００１４】
本発明に係る情報機器遠隔操作システムは、上述の目的を達成するために、請求項１に記載したように、ウィンドウを被操作側表示部に表示させてアプリケーションを実行する被操作側の情報機器と、この被操作側の情報機器とネットワークを介して接続可能であり、かつ前記被操作側表示部よりも小型の操作側表示部を有する操作側の情報機器とを備え、前記被操作側の情報機器に、前記被操作側表示部に表示された画面の一部あるいは全範囲を前記操作側表示部に初期状態として表示させる場合における画像の範囲を前記ウィンドウと関連付けたビュー領域として、このビュー領域に関連付けられた所属ウィンドウ、所属ウィンドウの任意の基準位置からの相対的な領域範囲および前記操作側表示部に表示させる際の表示順位をパラメータとして有するビュー情報を記憶するビュー情報記憶部と、前記ビュー情報に従って前記操作側表示部に初期状態として表示させる画像を生成する画面情報処理部と、この画面情報処理部により生成された画像とともにビュー情報を前記操作側の情報機器に送信し、かつ前記操作側の情報機器から前記アプリケーションの操作情報を受信する通信部と、この通信部により受信された前記アプリケーションの操作情報をオペレーティングシステムに与えて前記アプリケーションを操作する制御情報処理部とを設ける一方、前記操作側の情報機器に、前記被操作側の情報機器から送信された画像およびビュー情報を受信する通信部と、この通信部により受信されたビュー情報を記憶するビュー領域記憶部と、前記通信部により受信された画像の一部あるいは全範囲を前記ビュー領域記憶部に記憶されたビュー情報に従って前記操作側表示部が有する複数の表示領域に表示順位の高い順に表示させる画面情報処理部と、操作部に入力された前記アプリケーションの操作情報を通信部に与えて前記被操作側の情報機器に送信させる制御情報処理部とを設けたことを特徴とするものである。
【００１５】
また、本発明に係る情報機器遠隔操作システムは、上述の目的を達成するために、請求項２に記載したように、ウィンドウを被操作側表示部に表示させてアプリケーションを実行し、かつ前記被操作側表示部よりも小型の操作側表示部を有する操作側の情報機器にネットワークを介して接続可能な被操作側の情報機器を備え、前記被操作側の情報機器に、前記被操作側表示部に表示された画面の一部あるいは全範囲を前記操作側表示部に初期状態として表示させる場合における画像の範囲を前記ウィンドウと関連付けたビュー領域として、このビュー領域に関連付けられた所属ウィンドウ、所属ウィンドウの任意の基準位置からの相対的な領域範囲および前記操作側表示部に表示させる際の表示順位をパラメータとして有するビュー情報を記憶するビュー情報記憶部と、前記ビュー情報に従って前記操作側表示部に初期状態として表示させる画像を生成する画面情報処理部と、この画面情報処理部により生成された画像とともにビュー情報を前記操作側の情報機器に送信し、かつ前記操作側の情報機器から前記アプリケーションの操作情報を受信する通信部と、この通信部により受信された前記アプリケーションの操作情報をオペレーティングシステムに与えて前記アプリケーションを操作する制御情報処理部とを設けたことを特徴とするものである。
【００１６】
また、本発明に係る情報機器遠隔操作システムは、上述の目的を達成するために、請求項３に記載したように、ウィンドウを被操作側表示部に表示させてアプリケーションを実行する被操作側の情報機器にネットワークを介して接続可能であり、かつ前記被操作側表示部よりも小型の操作側表示部を有する操作側の情報機器を備え、この操作側の情報機器に、前記被操作側表示部に表示された画面の一部あるいは全範囲を前記操作側表示部に初期状態として表示させる場合における画像の範囲を前記ウィンドウと関連付けたビュー領域として、このビュー領域に関連付けられた所属ウィンドウ、所属ウィンドウの任意の基準位置からの相対的な領域範囲および前記操作側表示部に表示させる際の表示順位をパラメータとして有するビュー情報に従って前記被操作側の情報機器において生成されて送信された画像および前記ビュー情報を受信する通信部と、この通信部により受信されたビュー情報を記憶するビュー領域記憶部と、前記通信部により受信された画像の一部あるいは全範囲を前記ビュー領域記憶部に記憶されたビュー情報に従って前記操作側表示部が有する複数の表示領域に表示順位の高い順に表示させる画面情報処理部と、操作部に入力された前記アプリケーションの操作情報を通信部に与えて前記被操作側の情報機器に送信させる制御情報処理部とを設けたことを特徴とするものである。
【発明の効果】
【００１７】
本発明に係る情報機器遠隔操作システムにおいては、よりユーザの利便性を向上させた状態でネットワークを介して特定の情報機器を他の情報機器から遠隔操作することができる。
【００１８】
また、本発明に係る情報機器遠隔操作システムにおいては、表示部が通常のＰＣ等の情報機器のものに比べ小型である操作側の情報機器を用いてネットワークを介して他の被操作側の情報機器を遠隔操作ことが可能であり、遠隔操作の際、よりユーザの利便性を向上させ状態で被操作側の情報機器の画面を操作側の情報機器に表示させることができる。
【発明を実施するための最良の形態】
【００１９】
本発明に係る情報機器遠隔操作システムの実施の形態について添付図面を参照して説明する。
【００２０】
図１は本発明に係る情報機器遠隔操作システムの実施の形態を示す構成図である。
【００２１】
情報機器遠隔操作システム１は、操作側の情報機器の一例としての携帯電話２と、被操作側の情報機器の一例としてのパーソナルコンピュータ（ＰＣ）３とを、ネットワークの一例であるインターネット４を介して互いに通信可能にした構成である。すなわち、インターネット４には、携帯電話２に情報を送受信する基地局５が接続される。
【００２２】
携帯電話２には操作側表示部２ａが設けられ、ＰＣ３には被操作側表示部３ａが設けられる。一般に携帯電話２の操作側表示部２ａは、ＰＣ３の被操作側表示部３ａよりも小さく、ＰＣ３の被操作側表示部３ａに表示された画面をそのまま携帯電話２の操作側表示部２ａに表示させると著しく利便性が低下する。
【００２３】
尚、ネットワークはインターネット４に限らずＬＡＮ等のネットワークであってもよく有線、無線を問わない。また、操作側の情報機器は表示部が携帯電話２やＰＤＡのように移動性を有するもののみならず、操作側表示部２ａが小型のものであれば固定側の情報機器であてもよい。つまり、被操作側の情報機器を通信可能であれば、無線通信によらず、直接操作側の情報機器をネットワークに接続してもよい。さらに、携帯電話２およびＰＣ３が常時インターネット４に接続されている必要はなく、使用時にそれぞれインターネット４に接続可能であればよい。
【００２４】
図２は、図１に示す情報機器遠隔操作システム１の詳細構成図である。
【００２５】
携帯電話２には、操作部１０、制御情報処理部１１、通信部１２、画面情報処理部１３、操作側表示部２ａ、画像展開部１４、表示部角度検知部１５およびビュー領域記憶部１６とが設けられ、ＰＣ３には、通信部１７、画面情報処理部１８、画像圧縮部１９、ビュー情報記憶部２０、制御情報処理部２１、ＯＳ２２、擬似ドライバ２３を有するデバイスドライバ２４、ＶＲＡＭ（Video Random Access Memory）２５、被操作アプリケーション記憶部２６とが設けられる。尚、図２において基地局５は省略してある。
【００２６】
ＰＣ３の通信部１７は、画面情報処理部１８や制御情報処理部２１から受けた各種情報をネットワークを介して携帯電話２に送信する一方、携帯電話２から各種情報を受信して画面情報処理部１８や制御情報処理部２１に与える機能を有する。
【００２７】
ＰＣ３のビュー情報記憶部２０には、予めＰＣ３の被操作側表示部３ａに表示される画面の全部あるいは一部を携帯電話２の操作側表示部２ａに初期状態として表示させる場合における画像の範囲および画像の相対的な位置を規定するための情報が作成されて保存される。以下、この携帯電話２に表示させるＰＣ３の画面の範囲をビュー領域と、ビュー領域を規定するための情報をビュー情報と称する。
【００２８】
ＰＣ３のＶＲＡＭ２５は、ＰＣ３の被操作側表示部３ａに表示された画像情報を記録するためのメモリであり、画面情報処理部１８は、ビュー情報記憶部２０に記憶されたビュー情報に基づいてＶＲＡＭ２５からデバイスドライバ２４の擬似ドライバ２３を介してＰＣ３の被操作側表示部３ａに表示された画面情報の一部あるいは全範囲を取得する機能、ＶＲＡＭ２５から取得した画像情報を画像圧縮部１９に与えることにより画像情報を圧縮させる機能、圧縮後の画像情報とともにビュー情報を通信部１７に与えて携帯電話２に送信する機能を有する。
【００２９】
ＰＣ３の画像圧縮部１９は、画面情報処理部１８から受けた画像情報の圧縮を行なって画面情報処理部１８に与える機能を有する。
【００３０】
ＰＣ３の制御情報処理部２１は、操作対象となるウィンドウの切り換え情報に基づいて操作対象となるウィンドウの表示順位を設定する機能、操作対象となるウィンドウの切り換え情報やウィンドウの表示順位、操作対象となるビュー領域の選択情報等の情報を携帯電話２から通信部１７を介して受信し、ＯＳ２２に与えて操作対象となるウィンドウを切り換える機能、携帯電話２から通信部１７を介して受信したアプリケーションの操作情報をＯＳ２２に与えてアプリケーションの操作を実行する機能を有する。
【００３１】
そして、制御情報処理部２１は、携帯電話２から受信したウィンドウの切り換え情報等の情報により、携帯電話２において操作対象となるウィンドウがＰＣ３において操作対象となるウィンドウと一致しない場合には、ＰＣ３において操作対象となるウィンドウが携帯電話２において操作対象となるウィンドウとなるようにウィンドウの変更指令をオペレーティングシステムに与えるようにすることもできる。
【００３２】
ＰＣ３の被操作アプリケーション記憶部２６には、ＰＣ３のＯＣ上で動作する各種アプリケーションプログラムが格納され、被操作アプリケーション記憶部２６からＯＣに読み込まれたアプリケーションプが操作対象の１つとなる。
【００３３】
一方、携帯電話２の通信部１２は、画面情報処理部１３や制御情報処理部１１から受けた各種情報をネットワークを介してＰＣ３に送信する一方、ＰＣ３から各種情報を受信して画面情報処理部１３や制御情報処理部１１に与える機能を有する。
【００３４】
携帯電話２の操作部１０は、ユーザの操作によりユーザから各種情報を受け取って制御情報処理部１１に与える機能を有する。
【００３５】
携帯電話２の画面情報処理部１３は、通信部１２を介してＰＣ３から受信した圧縮画像情報を画像展開部１４に与えて展開させる機能、通信部１２を介してＰＣ３から受信したビュー情報をビュー領域記憶部１６に書き込む機能、ビュー領域記憶部１６に記憶されたビュー情報に基づいて展開後の画像を操作側表示部２ａに与えて所要の表示形式で表示させる機能、ビュー領域記憶部１６に記憶されたビュー情報が更新された場合に通信部１２に与えてＰＣ３に送信する機能を有する。
【００３６】
操作側表示部２ａは、画面情報処理部１３から受けた画像を表示させる機能を有する。
【００３７】
画像展開部１４は、画面情報処理部１３から圧縮された画像情報を受けて、展開処理を行なって画面情報処理部１３に与える機能を有する。
【００３８】
ビュー領域記憶部１６には、ＰＣ３から通信部１２を介して受信したビュー情報が保存される。
【００３９】
携帯電話２の制御情報処理部１１は、操作部１０から受けた操作対象となるウィンドウの切り換え情報に基づいて操作対象となるウィンドウの表示順位を設定する機能、操作対象となるウィンドウの切り換え情報やウィンドウの表示順位等の情報をＰＣ３との間で通信部１２を介して送受信する機能を有する。
【００４０】
また、制御情報処理部１１は、操作部１０から受けた操作側表示部２ａの表示形式変更指令等の各種携帯電話２自身の操作に関する操作情報を受けて画面情報処理部１３に操作情報を与える機能、ビュー領域記憶部１６に記憶されたビュー情報を編集する機能、操作部１０から受けたアプリケーションの操作情報を通信部１２に与えてＰＣ３に送信する機能を有する。
【００４１】
携帯電話２の表示部角度検知部１５は、携帯電話２の操作側表示部２ａが回転機能等のように向きを変える機能を有する場合に設けられ、操作側表示部２ａの向きが変更せしめられたことを検知して画面情報処理部１３に与える機能を有する。
【００４２】
次に、情報機器遠隔操作システム１の作用について説明する。
【００４３】
まず予め、ビュー情報が作成されてＰＣ３のビュー情報記憶部２０に保存される。
【００４４】
図３は、図１に示すＰＣ３の被操作側表示部３ａに表示される画面の一例を示す図である。
【００４５】
図３に示すように、ＰＣ３の被操作側表示部３ａには、任意数、例えば３つのウィンドウＷ１、Ｗ２、Ｗ３が表示され、各ウィンドウＷ１、Ｗ２、Ｗ３には文字や図、記号等の情報が表示される。そして、各ウィンドウＷ１、Ｗ２、Ｗ３以外の部分には背景が表示される。そして、各ウィンドウＷ１、Ｗ２、Ｗ３を介してそれぞれのウィンドウＷ１、Ｗ２、Ｗ３に対応する各種アプリケーションＡＰ１，ＡＰ２，ＡＰ３が被操作アプリケーション記憶部２６からＯＳ２２に読み込まれて実行され、そのときの被操作側表示部３ａの画面に表示された画像はＶＲＡＭ２５に一時的に記憶される。
【００４６】
また、各ウィンドウＷ１、Ｗ２、Ｗ３の画像は任意数のペインから構成され、例えばウィンドウＷ３には３つのペインＰ１、Ｐ２、Ｐ３で構成される画像が表示される。ペインＰ１、Ｐ３は、例えばｅ−ｍａｉｌ（メール）一覧情報やメール本文等の細かな文字情報で構成され、ペインＰ２は、例えば図形情報で構成される。
【００４７】
そして、このようにＰＣ３の被操作側表示部３ａに表示される画面のうち携帯電話２の操作側表示部２ａに表示させる範囲としてビュー領域が設定される。このビュー領域は、複数のパラメータを有するビュー情報により定義される。
【００４８】
図４は、図１に示す携帯電話２の操作側表示部２ａに表示させるＰＣ３の画面の範囲であるビュー領域を規定するためのビュー情報の一例を示す図であり、図５は、図４に示すビュー情報により規定されたビュー領域の一例を示す図である。
【００４９】
図４に示すようにビュー情報は、複数のパラメータで構成され、ビュー領域はいずれかのウィンドウに関連付けられる。このため、ビュー領域はアプリケーションとも関連付けられる。ビュー情報は、少なくとも関連付けられるウィンドウ（所属ウィンドウ）、所属ウィンドウに関連付けられた任意の基準位置からの相対的なビュー領域の領域範囲情報、ビュー領域を携帯電話２の操作側表示部２ａに表示させる際の表示順位をパラメータとしてもつ。このような各パラメータを有するビュー情報には、便宜上識別情報としての識別番号が付される。
【００５０】
また、ビュー情報のうちビュー領域の領域範囲情報は、さらに必要数の、例えば４つのサブパラメータ（ｘ，ｙ，ｗ，ｈ）で定義される。サブパラメータｘは、所属ウィンドウに関連付けられた任意の基準位置、例えば図５において所属ウィンドウの左端からビュー領域の左端までのＰＣ３の距離を、サブパラメータｙは、所属ウィンドウの上端からビュー領域の上端までのＰＣ３の距離をそれぞれ表す。また、サブパラメータｗ、ｈは、それぞれ図５においてビュー領域の横幅および高さをそれぞれ表す。
【００５１】
ただし、所属ウィンドウに関連付けられる基準位置は、点であっても線であってもよく、また所属ウィンドウ外部であってもよい。また、領域範囲情報は極座標その他任意の座標系で定義することができる。さらに、ビュー領域のウィンドウの対する相対位置を規定するための基準位置のみならず、ビュー領域も所属ウィンドウ内外を問わず、ＰＣ３の被操作側表示部３ａの範囲内であれば任意に設定することができる。
【００５２】
図５において、ビュー情報により規定されたビュー領域を点線で示す。例えば、図４および図５の例では、３つのウィンドウＷ１、Ｗ２、Ｗ３に対し、５つのビュー領域Ｖ１、Ｖ２、Ｖ３、Ｖ４、Ｖ５がビュー情報により定義され、識別番号が割り当てられる。ビュー領域Ｖ１の所属ウィンドウは、ウィンドウＷ１であり、ビュー領域Ｖ１の領域範囲は、ウィンドウＷ１の左端から５０（任意相対単位）、上端から０の位置をそれぞれ左端、上端とし、横幅が７５、高さが７５であることが分かる。さらに、ビュー領域Ｖ１の表示順位は４番目である。
【００５３】
また、所属ウィンドウをウィンドウＷ３とするビュー領域は、ビュー領域Ｖ３、Ｖ４、Ｖ５の３つである。各ビュー領域Ｖ３、Ｖ４、Ｖ５の表示範囲は、それぞれ（ｘ，ｙ，ｗ，ｈ）＝（５，５，５０，５０）、（６０，１２５，５０，５０）、（０，０，２００，２００）であり、表示順位はそれぞれ１番目、２番目、３番目である。このため、図５において、ウィンドウＷ３に所属するビュー領域Ｖ３が最前面に表示されている。
【００５４】
このように、単一のウィンドウＷ３に対して複数のビュー領域Ｖ３、Ｖ４、Ｖ５を定義することもできる。この際、共通のウィンドウＷ３を所属ウィンドウとするため、ビュー領域Ｖ３、Ｖ４、Ｖ５の表示順位が連続するように１番目、２番目、３番目に設定されている。
【００５５】
つまり、ビュー領域はビュー情報によりウィンドウないしアプリケーションと関連付けられて、アプリケーションに対応する表示範囲として定義される。そして、ビュー情報はビュー情報記憶部２０に保存される。このビュー情報の作成および保存により、ユーザの利便性を向上させた携帯電話２からのＰＣ３の遠隔操作が可能となる。
【００５６】
図６は、図１に示す情報機器遠隔操作システム１により、携帯電話２からネットワークを介してＰＣ３を操作する際の流れを示すシーケンス図である。
【００５７】
まず、Ｓ１において、ビュー情報記憶部２０に保存されたビュー情報とともに、このビュー情報に基づいて携帯電話２の操作側表示部２ａに表示させる画像情報がＰＣ３から携帯電話２に送信される。このＰＣ３から携帯電話２への画像情報の送信タイミングは、ＰＣ３が起動した際に自動的に送信するようにすることもできるし、ＰＣ３が携帯電話２から画像情報の送信要求を受けた際に送信するようにすることもできる。
【００５８】
すなわち、まず画面情報処理部１８が擬似ドライバ２３を介してＶＲＡＭ２５からＰＣ３の被操作側表示部３ａに表示された画像情報を取得する。さらに、画面情報処理部１８は取得した画像情報を画像圧縮部１９に与え、画像圧縮部１９において圧縮された画像情報が再び画面情報処理部１８に与えられる。
【００５９】
そして、画面情報処理部１８は圧縮された画像情報とともにビュー情報記憶部２０から読み込んだビュー情報を通信部１７に与え、通信部１７から圧縮された画像情報およびビュー情報がネットワークを介して携帯電話２に送信される。
【００６０】
このため、携帯電話２の通信部１２により圧縮された画像情報およびビュー情報が受信される。圧縮された画像情報は携帯電話２の画面情報処理部１３に与えられる。画面情報処理部１３は、圧縮された画像情報を画像展開部１４に与え、画像展開部１４において展開された画像情報が再び画面情報処理部１３に与えられる。
【００６１】
一方、ビュー情報は、画面情報処理部１３を介してビュー領域記憶部１６に書き込まれて保存される。
【００６２】
そして、Ｓ２において、画面情報処理部１３は、ビュー領域記憶部１６から読み込んだビュー情報を参照して各ビュー領域に対応する画像情報を生成し、操作側表示部２ａに与えることにより表示させる。
【００６３】
従って、ＰＣ３から携帯電話２側に送信される画像情報は、少なくとも携帯電話２の表示部に表示させるべきビュー領域に対応する画像情報が含まれ、必要に応じて表示順位が低く表示されないビュー領域の画像情報やビュー領域外部の画像情報が加えられる。逆にＰＣ３から携帯電話２側に送信される画像情報をＰＣ３の被操作側表示部３ａに表示される画像情報全体としてもよい。
【００６４】
図７は、図１に示す携帯電話２の操作側表示部２ａに表示される画面の一例を示す図である。
【００６５】
操作側表示部２ａは複数の表示領域を有する。例えば操作側表示部２ａは１つのメイン表示領域ＭＤと３つのサブ表示領域ＳＤ１、ＳＤ２、ＳＤ３とを有する。そして、メイン表示領域ＭＤおよびサブ表示領域ＳＤ１、ＳＤ２、ＳＤ３には、ＰＣ３の被操作側表示部３ａに表示された画面の一部、すなわちビュー情報で定義されたビュー領域の一部が表示される。
【００６６】
メイン表示領域ＭＤおよびサブ表示領域ＳＤ１、ＳＤ２、ＳＤ３に表示される内容は、ビュー情報のパラメータとして定義した表示順位によって決定され、例えば表示順位が１番目とされたビュー領域の画像がメイン表示領域ＭＤに表示される一方、表示順位が２番目、３番目、４番目とされたビュー領域の画像がそれぞれサブ表示領域ＳＤ１、ＳＤ２、ＳＤ３に表示される。
【００６７】
図７は図４および図５で定義したビュー情報に従って被操作側表示部３ａの一部を操作側表示部２ａに表示させた例であり、例えばメイン表示領域ＭＤには表示順位が１番目であるビュー領域Ｖ３の一部が表示されている。
【００６８】
同様に、サブ表示領域ＳＤ１、ＳＤ２、ＳＤ３には、表示順位に従って、ビュー領域Ｖ４、Ｖ５、Ｖ２の一部が表示されている。また、ビュー領域Ｖ１は表示順位が５番目であるため、携帯電話２の操作側表示部２ａには表示されていない。
【００６９】
尚、表示領域（メイン表示領域ＭＤおよびサブ表示領域ＳＤ１、ＳＤ２、ＳＤ３）は、予め携帯電話２側で設定され、ウィンドウとは異なり固定的な領域である。
【００７０】
また、このようなビュー領域をＰＣ３の被操作側表示部３ａの画面全体とすることもできる。
【００７１】
図８は、ビュー領域の１つを図１に示すＰＣ３の被操作側表示部３ａに表示される画面全体とした場合に、携帯電話２の操作側表示部２ａに表示される画面の一例を示す図である。
【００７２】
図８に示すように、ビュー領域の１つをＰＣ３の被操作側表示部３ａの画面全体として、被操作側表示部３ａの画面全体を表示させるための全画面ビューというビュー領域とすることができる。すなわち、サブ表示領域ＳＤ２に背景とともに各ウィンドウＷ１、Ｗ２、Ｗ３を含むＰＣ３の被操作側表示部３ａの画面全体が表示される。このような全画面ビューを定義することで、ＰＣ３の被操作側表示部３ａにおける画面全体のウィンドウの配置をより容易に把握することができる。
【００７３】
全画面ビューの所属ウィンドウは全てのウィンドウとして定義することができるが、ウィンドウと関連付けないで定義してもよい。あるいは全画面ビュー以外の通常のビュー領域と同様に、単一のウィンドウと関連付けてビュー領域の領域範囲がＰＣ３の被操作側表示部３ａの画面全体に相当する領域範囲となるように定義してもよい。
【００７４】
そして、このように携帯電話２の操作側表示部２ａにＰＣ３の被操作側表示部３ａに表示された画像が分割されて各ビュー領域の画像として表示されるため、ユーザは画面のスクロールや位置移動等の操作回数を低減させて、より容易にＰＣ３の被操作側表示部３ａに表示された画像を確認することができる。
【００７５】
次にＳ３において、例えば操作対象となるウィンドウ（アプリケーション）が選択される。以下、現在操作対象となっているウィンドウをアクティブウィンドウと、アクティブウィンドウを所属ウィンドウとするビュー領域をアクティブなビュー領域と称する。アクティブウィンドウは、通常ＰＣ３の被操作側表示部３ａでは最前面に表示され、携帯電話２の操作側表示部２ａでは、例えばアクティブなビュー領域がメイン表示領域ＭＤに表示されるように設定される。従って、アクティブウィンドウを所属ウィンドウとするビュー領域が複数ある場合には、サブ表示領域ＳＤ１、ＳＤ２、ＳＤ３に表示される画像の一部あるいは全部もアクティブなビュー領域となる。
【００７６】
アクティブウィンドウの切換は、携帯電話２の操作部１０の操作によって行なうことができる。すなわち、アクティブウィンドウの切換える場合には、ユーザがアクティブウィンドウの切換情報を操作部１０から制御情報処理部１１に入力する。例えば、ビュー領域の識別番号を直接入力したり、サブ表示領域ＳＤ１、ＳＤ２、ＳＤ３を選択することによりアクティブウィンドウの切換情報を操作部１０から制御情報処理部１１に入力することができる。また、携帯電話２の操作部１０からＰＣ３のＡｌｔキー＋ＴＡＢキーを操作した際と同様な情報をアクティブウィンドウの切換情報を制御情報処理部１１に入力してもよい。
【００７７】
次に、Ｓ４において、制御情報処理部１１はアクティブウィンドウの切換情報を受けるとビュー領域記憶部１６からビュー情報を取得し、表示順位が１番目のビュー領域の所属ウィンドウがアクティブウィンドウとすべきウィンドウでない場合には、ビュー領域の表示順位の変更処理を実行してビュー領域記憶部１６のビュー情報を更新させる。
【００７８】
図９は、アクティブウィンドウの変更があった場合に図４に示すビュー情報の表示順位を更新させて得られた新たなビュー情報を示す図である。
【００７９】
図９に示すようにアクティブウィンドウの変更を行うと、その都度ビュー領域の表示順位が更新される。すなわち表示順位（１）では、ウィンドウＷ２がアクティブウィンドウになっており、表示順位が１番目であるためウィンドウＷ２を所属ウィンドウとするビュー領域Ｖ２がメイン表示領域ＭＤに表示される。
【００８０】
この状態から、サブ表示領域ＳＤ１に表示されているビュー領域Ｖ３をアクティブなビュー領域として操作対象に変更すると表示順位（２）のようになる。すなわち、ビュー領域Ｖ３の表示順位が１番目になり、ビュー領域Ｖ３の所属ウィンドウであるウィンドウＷ３に所属する別のビュー領域Ｖ４、Ｖ５の表示順位がビュー領域Ｖ３の表示順位の変更に伴って上がる。
【００８１】
さらに、この状態からサブ表示領域ＳＤ１に表示されているビュー領域Ｖ４をアクティブなビュー領域として操作対象に変更すると表示順位（３）のようになる。すなわち、この場合は、アクティブウィンドウが変更されないため、ウィンドウＷ３に所属するビュー領域Ｖ３、Ｖ５が表示順位の上位に設定される。
【００８２】
このように、共通のウィンドウにおいて別々の領域として定義された複数のビュー領域Ｖ３、Ｖ４、Ｖ５の表示順位を同時に、すなわち互いに追従して変更することで、携帯電話２で操作を行なうウィンドウの複数の領域を同時に操作側表示部２ａに表示させることができる。
【００８３】
図１０は、アクティブウィンドウの変更に伴って図４に示すビュー情報におけるウィンドウの表示順位を設定する際における情報処理手順の一例を示すフローチャートである。
【００８４】
制御情報処理部１１では、操作部１０からアクティブウィンドウの切換情報を受けると、例えば図１０に示すアルゴリズムに従って新たなウィンドウの表示順位を設定する。すなわち、制御情報処理部１１は、アクティブウィンドウの切換情報を受けると、ビュー情報を表示順位の順に参照し、アクティブなビュー領域に指定されたビュー領域の表示順位を１番目に、アクティブなビュー領域に指定されたビュー領域と同じウィンドウに所属するビュー領域を、より高い表示順位に、その他のビュー領域をより低い表示順位に設定する。
【００８５】
ここで、上記のように同じウィンドウに所属するビュー領域のみならず、複数のウィンドウを互いに関連付けて、あるウィンドウを所属ウィンドウがアクティブウィンドウとなった場合に、関連付けられた他のウィンドウを所属ウィンドウとするビュー領域の表示順位が上位となるようにすることもできる。
【００８６】
そうすることで、複数のウィンドウを同時に参照して操作を行なう必要がある場合に、より少ない操作で各ウィンドウのビュー領域をそれぞれメイン表示領域やサブ表示領域に表示させることができる。
【００８７】
尚、この場合、ビュー情報に所属ウィンドウに関連するウィンドウの特定情報がパラメータとして追加され、制御情報処理部１１による表示順位の設定に用いられる。
【００８８】
次に、Ｓ５において、携帯電話２から新たなビュー領域の表示順位がＰＣ３側に送信される。すなわち、携帯電話２の制御情報処理部１１は、新たなビュー領域の表示順位を通信部１２に与え、携帯電話２の通信部１２からＰＣ３の通信部１７にネットワークを介して新たなビュー領域の表示順位が送信される。そして、ＰＣ３の通信部１７で新たなビュー領域の表示順位が受信される。
【００８９】
次に、Ｓ６において、ＰＣ３の通信部１７は、新たなビュー領域の表示順位をＰＣ３の制御情報処理部２１に与える。そして、制御情報処理部２１は、新たなビュー領域の表示順位に基づいてビュー情報記憶部２０のビュー情報を更新させるとともに、ＯＳ２２にウィンドウの表示順位情報を与えることにより、ＰＣ３側のアクティブウィンドウを変更させる。
【００９０】
次に、Ｓ７において、ＰＣ３の画面情報処理部１８は、擬似ドライバ２３を介してＶＲＡＭ２５からＰＣ３の被操作側表示部３ａに表示されたアクティブウィンドウ変更後における画像情報を取得する。そして、画面情報処理部１８は取得した画像情報を画像圧縮部１９に与えて圧縮されたアクティブウィンドウ変更後の画像情報を生成する。
【００９１】
次に、Ｓ８において、アクティブウィンドウ変更後の圧縮画像がＰＣ３の画面情報処理部１８からＰＣ３の通信部１７、携帯電話２の通信部１２を介して携帯電話２の画面情報処理部１３に送信される。
【００９２】
次に、Ｓ９において、携帯電話２の画面情報処理部１３は、画像展開部１４にアクティブウィンドウ変更後の圧縮画像を与えて展開処理を実行させ、得られたアクティブウィンドウ変更後の画像をビュー領域記憶部１６に記憶されたビュー領域の表示順位に従って操作側表示部２ａに表示させる。すなわち、画面情報処理部１３は、ビュー領域記憶部１６から読み込んだ更新後の新たなビュー情報を参照し、表示順位が１番目のビュー領域に対応する画像情報を操作側表示部２ａに与えてメイン表示領域ＭＤに表示させる。
【００９３】
尚、このようにアクティブウィンドウが選択されると、アクティブウィンドウを所属ウィンドウとするビュー領域がメイン表示領域ＭＤに表示されるが、サブ表示領域に表示されており、かつアクティブウィンドウに所属するビュー領域が操作対象として選択された場合には、アクティブウィンドウの切換が行なわれずに、表示領域がサブ表示領域からメイン表示領域ＭＤに変更される。
【００９４】
また、ＰＣ３側の操作でアクティブウィンドウが変更された場合にも、ＰＣ３側の制御情報処理部２１において表示順位の再設定処理が行なわれて、新たなビュー領域の表示順位がＰＣ３の通信部１７および携帯電話２の通信部１２を介して携帯電話２側の制御情報処理部１１に与えられる。そして、携帯電話２側の操作側表示に表示されるアクティブなビュー領域が変更される。つまり、ＰＣ３と携帯電話２とで互いにアクティブウィンドウの同期がとられ、必要に応じてその他の操作情報についても同期がとられる。
【００９５】
そして、このように操作対象となるアクティブウィンドウおよびアクティブなビュー領域が選択されると、ユーザは携帯電話２の操作部１０からＰＣ３においてウィンドウを介して起動されている各種アプリケーションを遠隔操作することができる。また、各種アプリケーションを遠隔操作に先立って、携帯電話２の操作側表示部２ａの表示形式を変更する等の各種操作を行なうこともできる。
【００９６】
ここで、一般に携帯電話２等の小型の情報機器においてはＰＣ３等の情報機器と異なりマウス等の入力装置がなく、かつボタンの数も限定される。そこで、携帯電話２のようなボタン数が限定された操作部１０であっても、ＰＣ３におけるキーボードやマウス等の入力装置と同等な情報入力が行えるような機能が携帯電話２の制御情報処理部１１に備えられる。
【００９７】
図１１は、図１に示す携帯電話２の操作部１０におけるボタン配置の一例を示す図である。
【００９８】
携帯電話２には、操作側表示部２ａとともに操作部１０が設けられる。操作部１０には、方向指示キーとしての上下左右ボタン１０ａ、役割変更キーとしての機能ボタン１０ｂ、数字ボタン１０ｃが設けられる。また、操作側表示部２ａには、メイン表示領域ＭＤ、サブ表示領域ＳＤ１、ＳＤ２、ＳＤ３が設けられ、操作対象となるメイン表示領域ＭＤにはカーソル３０が表示される。そして、画像情報やＰＣ３の操作情報等の各種情報がアンテナ部３１から電波として基地局５との間で送受信される。
【００９９】
メイン表示領域ＭＤに対しては、操作部１０の数字ボタン１０ｃを用いた文字入力やアプリケーションの操作の他、例えば、カーソル３０の移動、ＰＣ３のウィンドウにおける上下スクロールバーおよび左右スクロールバーの移動、携帯電話２の操作側表示部２ａに表示されるビュー領域の移動（スクロール）、携帯電話２の操作側表示部２ａに表示されるビュー領域の表示倍率（大きさ）の変更といった操作を実施することができる。
【０１００】
これらの操作のうち、カーソル３０の移動、ＰＣ３のウィンドウにおける上下スクロールバーおよび左右スクロールバーの移動、携帯電話２の操作側表示部２ａに表示されるビュー領域の移動については、携帯電話２の操作側表示部２ａに向かって上下左右方向への操作が必要となり、ビュー領域の表示倍率の変更については、１次元の値の変更が必要となる。
【０１０１】
通常のＰＣ３等の情報機器では、上記の操作はマウスやトラックボール等の入力デバイスにより行なうことができるが携帯電話２のように操作部１０にハード的あるいはソフト的な制限がある場合には、より少ないボタンで同等の機能を備える必要がある。そこで、上下左右方向への操作を上下左右ボタン１０ａあるいはジョグダイアルに割り当て、カーソル３０の移動、スクロールバーの移動、ビュー領域の移動等の各移動操作の種類を機能ボタン１０ｂでモード切換（上下左右ボタン１０ａの機能変更）できるように構成される。このためユーザは、上下左右ボタン１０ａの機能切り換えにより、より少ないボタンによる操作でＰＣ３のカーソル移動やスクロールバーの移動といった操作を実行することができる。
【０１０２】
また、通常は、メイン表示領域ＭＤに表示されたビュー領域に対してＰＣ３上で動作しているアプリケーションの操作が行なわれるが、メイン表示領域ＭＤに表示させるビュー領域の切り換えや、遠隔操作を終了等のアプリケーションの操作以外の操作も行なわれる。そこで、アプリケーション上の操作を行なうアプリケーション操作モードとアプリケーション以外の操作を行なうための制御モードとの機能切換機能も機能ボタン１０ｂに割り当てられる。このように、機能ボタン１０ｂによる機能切り換えにより、ユーザはより少ないボタンによる操作でＰＣ３の操作と同等の操作を行なうことができる。
【０１０３】
さらに、携帯電話２の操作側表示部２ａへの表示形式を複数種類設定し、表示モードとして切り換えることができるようにもすることができる。
【０１０４】
図１２は、図１に示す携帯電話２の操作側表示部２ａにタイトルバーを表示させた画面の表示形式を示す図である。
【０１０５】
図１２に示すように、携帯電話２の操作側表示部２ａには、メイン表示領域ＭＤと３つのサブ表示領域ＳＤ１、ＳＤ２、ＳＤ３が設けられる。ここで、各サブ表示領域ＳＤ１、ＳＤ２、ＳＤ３にはそれぞれタイトルバーＴＢ１、ＴＢ２、ＴＢ３が付加される。タイトルバーＴＢ１、ＴＢ２、ＴＢ３は、各サブ表示領域ＳＤ１、ＳＤ２、ＳＤ３に表示されるビュー領域がアクティブであるか否かを色を変えることで明示するように設定される。このため、現在操作対象であるアクティブウィンドウおよびアクティブなビュー領域をより明確に確認して判断することができる。
【０１０６】
つまり、各タイトルバーＴＢ１、ＴＢ２、ＴＢ３は、操作側表示部２ａの各サブ表示領域ＳＤ１、ＳＤ２、ＳＤ３に表示させた画像に対応するそれぞれのビュー領域の所属ウィンドウが操作対象のウィンドウ（アクティブウィンドウ）であるか否かを示す識別表示の一例として機能する。
【０１０７】
図１２の例ではタイトルバーＴＢ１、ＴＢ２、ＴＢ３をビュー領域がアクティブであるか否かの識別表示として用いているが、各サブ表示領域の枠の色などの各サブ表示領域がアクティブであるか否かを識別できれば、表示方法は任意である。さらに、アクティブウィンドウに対応しているメイン表示領域にもタイトルバーを付加してサブ表示領域と同様の色を付することで、同じウィンドウに対応しているか否かが直感的に分かるように設定することもできる。
【０１０８】
また、さらに、タイトルバーＴＢ１、ＴＢ２、ＴＢ３が対応するウィンドウ毎に異なる色となるようにすれば、複数のメイン表示領域あるいはサブ表示領域のうち、どの表示領域のビュー領域がそれぞれどのウィンドウに対応しているのかを直感的に分かるようにすることもできる。
【０１０９】
タイトルバーＴＢ１、ＴＢ２、ＴＢ３の色制御は、画面情報処理部１３がビュー領域記憶部１６からビュー情報を取得し、各サブ表示領域に表示されたビュー領域の所属ウィンドウがアクティブウィンドウであるか否か、すなわちビュー情報の表示順位が１番目であるか否かを判定し、判定結果に応じて操作側表示部２ａにタイトルバーＴＢ１、ＴＢ２、ＴＢ３の色情報を与えることにより実行される。
【０１１０】
図１３は、図１に示す携帯電話２の操作側表示部２ａにスクロールバーを表示させた画面の表示形式を示す図、図１４は、図１３に示すスクロールバーの着色に用いる色の一例を示す図、図１５は図１４に示すスクロールバーの着色に用いる色の設定基準の一例を示す図である。
【０１１１】
図１３に示すように携帯電話２の操作側表示部２ａにスクロールバーを表示させて利便性を向上させることもできる。図１３（ａ−１）および（ｂ−１）は、ＰＣ３の被操作側表示部３ａに表示される画面の一例を示し、図１３（ａ−２）および（ｂ−２）は、そのときに携帯電話２の操作側表示部２ａに表示される画面の一例を示す。
【０１１２】
図１３（ａ−１）および（ｂ−１）のようにあるウィンドウの領域がアクティブなビュー領域として、他の領域が非アクティブなビュー領域として設定されると、図１３（ａ−２）および（ｂ−２）に示すように携帯電話２の操作側表示部２ａに各ビュー領域のうち表示順位の高いものが表示される。すなわち、携帯電話２の操作側表示部２ａには、メイン表示領域ＭＤと複数のサブ表示領域ＳＤ１、ＳＤ２、ＳＤ３とが設けられ、メイン表示領域ＭＤには表示順位が１番目でアクティブなビュー領域の一部が、サブ表示領域ＳＤ１、ＳＤ２、ＳＤ３には表示順位が２番目、３番目、４番目のビュー領域の一部がそれぞれ表示される。
【０１１３】
さらに、メイン表示領域ＭＤにはスクロールバー（上下スクロールバーＳＢ１、左右スクロールバーＳＢ２）が設けられる。このスクロールバーは、メイン表示領域ＭＤに表示されたビュー領域やアクティブウィンドウの表示状態を色で示すように複数の色で着色される。
【０１１４】
スクロールバーの着色に用いる色は、例えば図１４に示すように色１、色２、色３、色４の４色とされ、色１、色２、色３、色４にそれぞれ白、青、赤、紫が割り当てられる。そして、スクロールバーの各色１、色２、色３、色４には、それぞれ図１５に示すような設定基準でビュー領域およびアクティブウィンドウの表示状態が関連付けられる。すなわち、例えばスクロールバーの色が色１は、被操作側表示部３ａのうちアクティブウィンドウの外部の領域でかつメイン表示領域ＭＤに表示されていない範囲を、色２はアクティブウィンドウの内部の領域であるが、メイン表示領域ＭＤに表示されていない範囲を、色３は被操作側表示部３ａのうちアクティブウィンドウの外部の領域でかつメイン表示領域ＭＤに表示されている範囲を、色４はアクティブウィンドウの内部の領域であり、かつメイン表示領域ＭＤに表示されている範囲をそれぞれ示す。
【０１１５】
このため、図１３（ａ−１）に示すようにアクティブウィンドウを所属ウィンドウとするビュー領域がアクティブウィンドウの内部となるように設定されている場合には、メイン表示領域ＭＤにアクティブウィンドウの内部のビュー領域が表示されるため、スクロールバーの色は、色１、色２及び色４で着色される。
【０１１６】
一方、図１３（ｂ−１）に示すようにアクティブウィンドウを所属ウィンドウとするビュー領域がアクティブウィンドウの外部となるように設定されている場合には、メイン表示領域ＭＤにアクティブウィンドウの一部とアクティブウィンドウの外部の領域とからなるビュー領域が表示されるため、スクロールバーの色は、色１、色２、色３及び色４で着色される。
【０１１７】
つまり、スクロールバーは、被操作側表示部３ａ、アクティブウィンドウおよび操作側表示部２ａのメイン表示領域ＭＤの相対的な位置関係を示す位置表示として機能する。
【０１１８】
スクロールバーの色を制御する場合には、ＰＣ３の画面情報処理部１８が通信部１７を介して画像情報を携帯電話２の画面情報処理部１３に送信する際に、ＰＣ３の被操作側表示部３ａ全体の大きさと、アクティブウィンドウの位置および大きさに関する情報をも送信する。そして、携帯電話２の画面情報処理部１３は、ＰＣ３の被操作側表示部３ａ全体の大きさと、アクティブウィンドウの位置および大きさに関する情報に基づいてスクロールバーの色を決定して操作側表示部２ａに与えて表示させる。
【０１１９】
尚、スクロールバーの色は何色に定義してもよいが、色４を色２と色３を混ぜた色に定義すれば、ユーザが直感的にビュー領域やアクティブウィンドウの位置関係を把握することが容易となる。
【０１２０】
このように、スクロールバーの色表示により、現在操作側表示部２ａに表示されている範囲が、ＰＣ３における被操作側表示部３ａの画面全体並びにアクティブウィンドウに対してどのような位置関係であるかを一目で判断することができる。
【０１２１】
図１６は、図１に示す携帯電話２の操作側表示部２ａの表示形式を操作側表示部２ａの角度に応じて切り換えるようにした例を示す図である。
【０１２２】
図１６（ａ）は、操作側表示部２ａの幅が広い側を縦方向、幅が狭い側を横方向としてユーザが操作する際における向きとされた場合、すなわち携帯電話本体２ｂに対して操作側表示部２ａを縦方向に向けた場合に、操作側表示部２ａに表示される画面の表示形式を示し、図１６（ａ）は、操作側表示部２ａの幅が広い側を横方向、幅が狭い側を縦方向としてユーザが操作する際における向きとされた場合、すなわち携帯電話本体２ｂに対して操作側表示部２ａを横方向に向けた場合に操作側表示部２ａに表示される画面の表示形式を示す。
【０１２３】
図１６（ａ）に示すように、操作側表示部２ａを携帯電話本体２ｂに対して縦方向に向けた場合には、例えば操作側表示部２ａの画面がメイン表示領域と、サブ表示領域とに２分割される。そして、メイン表示領域ＭＤには、図８と同様な画面全体を表示させるための全画面ビューが表示され、サブ表示領域ＳＤには表示順位が１番目のビュー領域が表示される。
【０１２４】
一方、操作側表示部２ａの角度を傾ける機能を備えた携帯電話２の場合には、図１６（ｂ）に示すように、操作側表示部２ａを携帯電話本体２ｂに対して横方向に向ける（９０度回転させる）ことができる。操作側表示部２ａを携帯電話本体２ｂに対して横方向に向けると表示部角度検知部１５により操作側表示部２ａが携帯電話本体２ｂに対して横方向となったことが検知され、表示部角度情報として画面情報処理部１３に与えられる。
【０１２５】
画面情報処理部１３は、表示部角度検知部１５から操作側表示部２ａが携帯電話本体２ｂに対して横方向となった旨の表示部角度情報を受けると、表示形式を切り換えて画像情報を生成し、操作側表示部２ａに与えて表示させる。この結果、例えば図１６（ｂ）に示すように全画面ビューのみが横方向に操作側表示部２ａの向きに追従してメイン表示領域ＭＤに表示される。
【０１２６】
同様に操作側表示部２ａを携帯電話本体２ｂに対して横方向となった状態から縦方向に傾けた場合にも、表示部角度検知部１５により操作側表示部２ａが携帯電話本体２ｂに対して縦方向となったことが検知されて表示部角度情報が画面情報処理部１３に与えられ、画面情報処理部１３は表示形式を切り換えて画像情報を生成し、操作側表示部２ａに与えて図１６（ａ）に示すように２分割されたメイン表示領域ＭＤとサブ表示領域ＳＤとを表示させる。
【０１２７】
このように、操作側表示部２ａの向きに応じて縦型２分割の表示モードと横型分割無しの表示モードとを自動的に切り換えて表示させることもできる。このため、ユーザは、より細かな操作を行なう場合に携帯電話２の操作側表示部２ａの画面を最大限に用いて作業することができる。また、操作側表示部２ａを回転させることで自動的に全画面ビューの表示に切り換えることもできる。
【０１２８】
以上のような各種表示形式による操作側表示部２ａへの表示ができるように設定し、携帯電話２の機能ボタン１０ｂによるワンタッチ操作で表示モードを各種モード変更の１つとして切り換えることができるようにもすることができる。
【０１２９】
また、表示形式の他、現在所属ウィンドウがアクティブウィンドウではないビュー領域の画像が表示されたサブ表示領域については、アクティブウィンドウが変更させても画像表示を更新させずに、所属ウィンドウが最後にアクティブウィンドウとされたときの画像表示のままとすることができる。
【０１３０】
つまり、あるビュー領域の所属ウィンドウをアクティブウィンドウにして画像を更新させた後、アクティブウィンドウを別のウィンドウに変更すると、新たにアクティブウィンドウを所属ウィンドウとするビュー領域の画像が最前面に表示され、過去に編集されたビュー領域の画像は新たにアクティブウィンドウを所属ウィンドウとするビュー領域の画像の後ろに隠れ、ユーザが確認できなくなる恐れがある。
【０１３１】
そこで、そのようなビュー領域の画像を所属ウィンドウが最後にアクティブウィンドウとされたときの画像表示のままとして継続して表示するようにすれば、アクティブウィンドウが別のウィンドウに変更されたとしても、常に最前面に表示されることとなり、操作側表示部２ａにおいてユーザが参照することができる。
【０１３２】
この場合、画面表示処理部１３にこのように動作させる機能を備えることができる。すなわち、画面表示処理部１３は、ビュー領域記憶部１６に保存されたビュー情報を参照し、サブ表示領域に表示されたビュー領域の所属ウィンドウがアクティブウィンドウでない場合には、サブ表示領域に表示させた画像を更新させない。
【０１３３】
ところで、ビュー領域が多数存在する場合には、表示順位が下位のビュー領域は操作側表示部２ａに表示されない。従って、操作側表示部２ａに表示されないような表示順位が下位のビュー領域の表示順位を上げてメイン表示領域やサブ表示領域に表示させたい場合等のように携帯電話２のボタン操作によりマニュアルでビュー領域の表示順位を編集することが便利な場合がある。
【０１３４】
そこで、携帯電話２のボタンにビュー領域の表示順位の編集機能を設けることもできる。そうすることで、アクティブウィンドウ以外のウィンドウを所属ウィンドウとするビュー領域で参照したいものがある場合に、アクティブウィンドウを変更することなく、サブ表示領域に目的のウィンドウに所属するビュー領域を表示させることができる。尚、このように動作させる機能は、制御情報処理部１１に備えることができる。
【０１３５】
図１７は、図１に示す携帯電話２の操作部１０における機能ボタン１０ｂへの機能の割り当て例を示す図である。
【０１３６】
図１７に示すように例えば機能ボタンＦＢ１を押し下げた場合には、上下左右ボタン１０ａの機能変更というモード変更がなされ、機能ボタンＦＢ２を押し下げた場合には、操作モードを制御モードからアプリケーション操作モードあるいはその逆のモード変更がなされるように設定される。また、機能ボタンＦＢ２を長時間（一定時間以上）押し下げた場合には、表示モード、すなわち縦型２分割の全画面モードと通常の表示モードの切り換えができるようにされる。
【０１３７】
さらに、操作側表示部２ａのスクロールバーの表示非表示切換や、タイトルバーの表示非表示切換の機能を機能ボタン１０ｂに割り当てることもできる。
【０１３８】
これらの切換処理は、制御情報処理部１１において実行される。すなわち各数字ボタン１０ｃ、機能ボタン１０ｂ、上下左右ボタン１０ａの操作により操作部１０から操作情報が制御情報処理部１１に与えられると、制御情報処理部１１は現在の上下左右ボタン１０ａの機能モード等の各種モードをその都度更新して記憶する。そして、一旦モードが決定された後、機能ボタン１０ｂ以外の数字ボタン１０ｃや上下左右ボタン１０ａからの操作情報を受けると、画面情報処理部１３にアプリケーションの操作情報や画像のスクロール指示等の情報が与えられて操作側表示部２ａの表示が更新されるとともに、アプリケーションの操作情報の場合には、通信部１２に与えられてネットワークを介してＰＣ３側の通信部１７に送信される。
【０１３９】
そして、図６のＳ１０において、例えば、アプリケーション以外の操作を行なうための制御モードで、携帯電話２のメイン表示領域やサブ表示領域に表示される画像の移動指令等の操作情報が操作部１０に入力される。
【０１４０】
次にＳ１１において、操作部１０から制御情報処理部１１に操作情報が与えられ、画面の再表示であれば画面情報処理部１３に操作情報に基づく再表示指令を通知する。このため画面情報処理部１３は再表示指令に基づいて、所要の画像情報を生成して操作側表示部２ａに与えて表示させる。
【０１４１】
尚、この際、メイン表示部やサブ表示部に表示されていなかった領域の画像を表示させる場合に、未だＰＣ３から該当する画像情報を受信していない場合には、ＰＣ３に画像情報の送信要求を送信し、ＰＣ３から画像情報を受信して表示させる。逆にＰＣ３から全画面ビューに相当する画像情報を既に受信している場合のように画像再表示に必要な画像情報が携帯電話２側に保存されている場合には、再度ＰＣ３に画像情報の送信要求をする必要はない。
【０１４２】
また、Ｓ１２において、例えば、アプリケーションの遠隔操作を行なうためのアプリケーションモードで、アクティブウィンドウにおけるカーソル３０の移動や文字入力等の操作情報がアプリケーション操作情報として携帯電話２の操作部１０に入力される。
【０１４３】
このため、Ｓ１３において、アプリケーション操作情報が制御情報処理部１１に与えられ、携帯電話２の通信部１２、ＰＣ３の通信部１７を介してＰＣ３の制御情報処理部２１に与えられる。
【０１４４】
次に、Ｓ１４において、ＰＣ３の制御情報処理部２１は、アプリケーション操作情報をＯＳ２２に与えて、アプリケーションの操作を実行させる。この結果、アプリケーション操作後の例えばカーソル移動後の画像がアクティブウィンドウに表示される。
【０１４５】
次に、Ｓ１５において、ＰＣ３の画面情報処理部１８は、アクティブウィンドウに所属するビュー領域に対応するアプリケーション操作後の画像を擬似ドライバ２３を介して取得し、画像圧縮部１９に与えて圧縮処理を実行させる。このため、アプリケーション操作後の圧縮画像が生成される。
【０１４６】
次に、Ｓ１６において、アプリケーション操作後の圧縮画像がＰＣ３の画面情報処理部１８から携帯電話２の画面情報処理部１３に送信される。
【０１４７】
そして、Ｓ１７において、Ｓ９と同様にアプリケーション操作後の画像が携帯電話２の操作側表示部２ａに表示される。
【０１４８】
つまり、以上に示す情報機器遠隔操作システム１は、ＰＣ３を始めとするマルチウィンドウ表示が可能な表示装置を持つ情報機器を、ネットワークを経由して接続した小型情報端末等の情報機器から操作を行なうシステムであり、その際、操作側表示部２ａの表示領域を被操作側表示部３ａに表示されるウィンドウを基準に設定するものである。
【０１４９】
このため、情報機器遠隔操作システム１によれば、携帯電話２等の情報機器の操作側表示部２ａを参照して操作する場合、被操作側表示部３ａにおけるウィンドウ単位で操作側表示部２ａに表示される画像を切り換えることが容易となる。つまり携帯電話２等の情報機器の簡単な操作でより容易に操作対象となる情報機器のウィンドウを変更することができる。
【０１５０】
また、１つのウィンドウに対し複数の表示範囲をビュー領域として操作側表示部２ａ用に設定することで大きなウィンドウを操作側表示部２ａに表示した場合に、同じウィンドウ中の複数の箇所を同時に参照することができる。
【０１５１】
さらに、被操作側のＰＣ３等の情報機器や携帯電話２等の小型情報端末の操作によってウィンドウを移動した場合であっても、ウィンドウの基準位置との相対的な領域として操作側表示部２ａに表示させる画像の領域が設定されるため、操作側表示部２ａにおいて表示範囲がずれることなく再表示を行なうことができる。
【０１５２】
また、携帯電話２とＰＣ３におけるアクティブウィンドウが互いに同期をとることにより、携帯電話２とＰＣ３の操作対象を常に一致させる状態を保つことができる。
【０１５３】
さらに、ビュー領域を被操作側表示部３ａの画面全体を表示させるための全画面ビューとすることによりＰＣ３の画面全体の状態を参照しながら作業を行なうことができる。
【図面の簡単な説明】
【０１５４】
【図１】本発明に係る情報機器遠隔操作システムの実施の形態を示す構成図。
【図２】図１に示す情報機器遠隔操作システムの詳細構成図。
【図３】図１に示すＰＣの被操作側表示部に表示される画面の一例を示す図。
【図４】図１に示す携帯電話の操作側表示部に表示させるＰＣの画面の範囲であるビュー領域を規定するためのビュー情報の一例を示す図。
【図５】図４に示すビュー情報により規定されたビュー領域の一例を示す図。
【図６】図１に示す情報機器遠隔操作システムにより、携帯電話からネットワークを介してＰＣを操作する際の流れを示すシーケンス図。
【図７】図１に示す携帯電話の操作側表示部に表示される画面の一例を示す図。
【図８】ビュー領域の１つを図１に示すＰＣの被操作側表示部に表示される画面全体とした場合に、携帯電話の操作側表示部に表示される画面の一例を示す図。
【図９】アクティブウィンドウの変更があった場合に図４に示すビュー情報の表示順位を更新させて得られた新たなビュー情報を示す図。
【図１０】アクティブウィンドウの変更に伴って図４に示すビュー情報におけるウィンドウの表示順位を設定する際における情報処理手順の一例を示すフローチャート。
【図１１】図１に示す携帯電話の操作部におけるボタン配置の一例を示す図。
【図１２】図１に示す携帯電話の操作側表示部にタイトルバーを表示させた画面の表示形式を示す図。
【図１３】図１に示す携帯電話の操作側表示部にスクロールバーを表示させた画面の表示形式を示す図。
【図１４】図１３に示すスクロールバーの着色に用いる色の一例を示す図。
【図１５】図１４に示すスクロールバーの着色に用いる色の設定基準の一例を示す図。
【図１６】図１に示す携帯電話の操作側表示部の表示形式を操作側表示部の角度に応じて切り換えるようにした例を示す図。
【図１７】図１に示す携帯電話の操作部における機能ボタンへの機能の割り当て例を示す図。
【符号の説明】
【０１５５】
１  情報機器遠隔操作システム
２  携帯電話
２ａ  操作側表示部
２ｂ  携帯電話本体
３  パーソナルコンピュータ（ＰＣ）
３ａ  被操作側表示部
４  インターネット
５  基地局
１０  操作部
１０ａ  上下左右ボタン
１０ｂ  機能ボタン
１０ｃ  数字ボタン
１１  制御情報処理部
１２  通信部
１３  画面情報処理部
１４  画像展開部
１５  表示部角度検知部
１６  ビュー領域記憶部
１７  通信部
１８  画面情報処理部
１９  画像圧縮部
２０  ビュー情報記憶部
２１  制御情報処理部
２２  ＯＳ
２３  擬似ドライバ
２４  デバイスドライバ
２５  ＶＲＡＭ
２６  被操作アプリケーション記憶部
３０  カーソル
３１  アンテナ部
Ｗ１、Ｗ２、Ｗ３  ウィンドウ
ＡＰ１，ＡＰ２，ＡＰ３  アプリケーション
Ｐ１、Ｐ２、Ｐ３  ペイン
Ｖ１、Ｖ２、Ｖ３、Ｖ４、Ｖ５  ビュー領域
ＭＤ  メイン表示領域
ＳＤ、ＳＤ１、ＳＤ２、ＳＤ３  サブ表示領域
ＴＢ１、ＴＢ２、ＴＢ３  タイトルバー
ＳＢ１  上下スクロールバー
ＳＢ２  左右スクロールバー
【図１】
2005301908.tif 000003
【図２】
2005301908.tif 000004
【図３】
2005301908.tif 000005
【図４】
2005301908.tif 000006
【図５】
2005301908.tif 000007
【図６】
2005301908.tif 000008
【図７】
2005301908.tif 000009
【図８】
2005301908.tif 000010
【図９】
2005301908.tif 000011
【図１０】
2005301908.tif 000012
【図１１】
2005301908.tif 000013
【図１２】
2005301908.tif 000014
【図１３】
2005301908.tif 000015
【図１４】
2005301908.tif 000016
【図１５】
2005301908.tif 000017
【図１６】
2005301908.tif 000018
【図１７】
2005301908.tif 000019